(57)【要約】【課題】  簡単な構成でかつ容易に電子装置の盗難を防止することができる、盗難防止装置を提供する。【解決手段】  盗難防止システムは、電力を供給する電力供給線およびデータ信号を送信可能な信号線を含むＵＳＢケーブル４０に接続された携帯電話機２０の盗難を防止する。携帯電話機２０は、ＵＳＢケーブル４０を介して電力供給線から電力供給を受けると、信号線Ｄ＋またはＤ−をプルアップする。警報装置５０は、ＵＳＢケーブルのプルアップされた信号線の電位を監視し、プルアップ電位がしきい値より小さくなると、ブザー音などの警報を発する。【選択図】  図４
2010140388.tif 000002
【特許請求の範囲】
【請求項１】
少なくとも１つの電子装置の盗難を防止する盗難防止装置であって、
電子装置に接続されるケーブルと、
ケーブルに接続された警報装置とを含み、
前記ケーブルは、少なくとも電子装置に対して電力を供給する電力供給線およびデータ信号を送信可能な信号線を含み、
前記警報装置は、前記電力供給線を介して電子装置に電力を供給したことに応答して前記信号線が一定電位に保持されたことを監視する監視手段と、
前記監視手段により前記信号線の電位の変動が監視されたとき、警報を発する警報手段と、
を含む盗難防止装置。
【請求項２】
前記電子装置は、ＵＳＢ対応であり、前記ケーブルは、ＵＳＢ通信機能を有するケーブルである、請求項１に記載の盗難防止装置。
【請求項３】
前記監視手段は、電子回路によって構成される、請求項１に記載の盗難防止装置。
【請求項４】
前記監視手段は、ワンチップマイクロコンピュータによって構成され、ワンチップマイクロコンピュータは、前記信号線の電位を監視するためのプログラムを含む、請求項１に記載の盗難防止装置。
【請求項５】
少なくとも１つの電子装置の盗難を防止する盗難防止システムであって、
少なくとも電力を供給する電力供給線およびデータ信号を送信可能な信号線を含むケーブルと、
前記ケーブルの一方の端部に接続された電子装置と、
前記ケーブルの他方の端部に接続された警報装置とを含み、
前記電子装置は、前記電力供給線から電力の供給を受けたことに応答して前記信号線を一定電位に設定する設定手段を含み、
前記警報装置は、前記信号線の一定電位を監視する監視手段と、前記監視手段により前記信号線の電位の変動が監視されたとき、警報を発する警報手段とを含む、
盗難防止システム。
【請求項６】
前記設定手段は、前記ケーブルの信号線を一定電位にプルアップする、請求項３に記載の盗難防止システム。
【請求項７】
前記ケーブルの信号線が、差動信号を送信する２本の信号線を含み、前記警報装置は、前記２本の信号線のいずれかを選択するスイッチを含む、請求項３に記載の盗難防止システム。
【請求項８】
前記ケーブルは、充電用の電力を供給する充電用信号線を含み、電子装置は、充電用信号線によって充電される二次電池を含む、請求項３に記載の盗難防止システム。
【請求項９】
電子装置が複数あるとき、電子装置の各々は、複数のケーブルを介して前記警報装置に接続され、前記監視手段は、複数のケーブルの信号線の一定電位を監視し、前記警報手段は、前記監視手段によりいずれか１つの信号線の電位に変動があったとき警報を発する、請求項３に記載の盗難防止システム。
【請求項１０】
前記ケーブルは、ＵＳＢ通信機能を有するケーブルである、請求項３ないし７いずれか１つに記載の盗難防止システム装置。
【請求項１１】
電子装置は、ＵＳＢ通信機能を有するケーブルによって動作可能な携帯型電子端末である、請求項３ないし８いずれか１に記載の盗難防止システム。
【請求項１２】
少なくとも１つの携帯型電子端末の盗難を防止するための盗難防止方法であって、
少なくとも１つの携帯型電子端末にＵＳＢ通信機能を有するケーブルを接続するステップと、
少なくとも１つの携帯型電子端末にＵＳＢ通信機能を有するケーブルを介して電力を供給するステップと、
電力の供給に応答してＵＳＢ通信機能を有するケーブルの信号線を一定電位にプルアップするステップと、
プルアップされた信号線の電位を監視するステップと、
信号線の電位がしきい値以下に低下したとき、警報を発するステップと、
を有する盗難防止方法。
【請求項１３】
少なくとも電子装置に対して電力を供給する電力供給線およびデータ信号を送信可能な信号線を含むケーブルと、当該ケーブルが接続された警報装置とを含む盗難防止装置において実行される盗難防止プログラムであって、
電子装置にケーブルが接続されたことに応答して前記信号線の電位を監視し、
前記信号線の電位がしきい値以下になったとき、警報装置に警報を出力させる、盗難防止プログラム。
【発明の詳細な説明】
【技術分野】
【０００１】
本発明は、携帯電話やディジタルカメラ等の携帯型電子端末の盗難防止装置、盗難防止システムおよび盗難防止方法に関し、特に、店頭に展示された携帯型電子端末の盗難防止に関する。
【背景技術】
【０００２】
店頭において、顧客が商品を直接触って操作することができるように、展示棚に携帯電話やディジタルカメラ等の商品見本を陳列している。商品見本は、販売される商品と同等の機能を備えており、さらに顧客が簡単に手で扱えるため、商品見本が盗難されることも少なくない。そこで、商品見本の盗難を防止するために、商品見本に専用ケーブルを取り付け、当該専用ケーブルの切断または断線があったとき、商品見本が盗難されたと判定し、警報を発している。例えば、特許文献１は、盗難防止用のコードの先端のスイッチを、展示品に取り付け、スイッチの状態変化から盗難の有無を監視している。
【０００３】
【特許文献１】特開平１０−２７２８５号公報
【発明の開示】
【発明が解決しようとする課題】
【０００４】
図１は、従来の盗難防止システムの構成例を示す図である。携帯電話機１００は、専用ケーブル１１０を介して警報ブザー機１２０に接続されている。専用ケーブル１１０の先端部分には、特許文献１のようなスイッチや接触センサ等が取り付けられ、これが粘着パッドなどにより携帯電話機１００に粘着されている。粘着パットが携帯電話機１００から外れると、スイッチまたはセンサがこれを検出し、検出信号が専用ケーブル１１０により警報ブザー機１２０へ送信され、ブザーが鳴るようになっている。また、携帯電話機１００は、店頭に陳列された状態で動作できるようにするため、給電／充電ケーブル１３０を介して充電アダプタ１４０に接続されている。
【０００５】
しかしながら、このような従来の盗難システムでは、展示棚の商品入れ替えの際には、多数の携帯電話機１００から専用ケーブル１１０を取り外して新しい携帯電話機に接続しなければならない。特に、粘着パッドなどを用いている場合には、粘着パッドの張替え作業は非常に煩雑である。
【０００６】
さらに、携帯電話機１００には、専用ケーブル１１０と別に、給電／充電ケーブル１３０が接続されるため、ケーブルの着脱作業は２倍になる。また、１つの携帯電話機に２本のケーブルを接続することは、システムのコストが非常に高くなるばかりか、店頭に陳列される携帯電話機の見栄えもよくない。
【０００７】
本発明は、このような従来の課題を解決するものであり、簡単な構成でかつ容易に電子装置の盗難を防止することができる、盗難防止装置、盗難防止システムおよび盗難防止方法を提供することを目的とする。
【課題を解決するための手段】
【０００８】
本願発明に係る、少なくとも１つの電子装置の盗難を防止する盗難防止装置は、電子装置に接続されるケーブルと、ケーブルに接続された警報装置とを含み、前記ケーブルは、少なくとも電子装置に対して電力を供給する電力供給線およびデータ信号を送信可能な信号線を含み、前記警報装置は、前記電力供給線を介して電子装置に電力を供給したことに応答して前記信号線が一定電位に保持されたことを監視する監視手段と、前記監視手段により前記信号線の電位の変動が監視されたとき、警報を発する警報手段とを有する。好ましくは電子装置は、ＵＳＢ対応であり、前記ケーブルは、ＵＳＢ通信機能を有するケーブルである。
【０００９】
本発明に係る、少なくとも１つの電子装置の盗難を防止する盗難防止システムは、少なくとも電力を供給する電力供給線およびデータ信号を送信可能な信号線を含むケーブルと、前記ケーブルの一方の端部に接続された電子装置と、前記ケーブルの他方の端部に接続された警報装置とを含み、前記電子装置は、前記電力供給線から電力の供給を受けたことに応答して前記信号線を一定電位に設定する設定手段を含み、前記警報装置は、前記信号線の一定電位を監視する監視手段と、前記監視手段により前記信号線の電位の変動が監視されたとき、警報を発する警報手段とを含む。
【００１０】
好ましくは前記設定手段は、前記ケーブルの信号線を一定電位にプルアップする。前記ケーブルの信号線が、差動信号を送信する２本の信号線を含み、前記警報装置は、前記２本の信号線のいずれかを選択するスイッチを含むようにしてもよい。さらに前記ケーブルは、充電用の電力を供給する充電用信号線を含み、電子装置は、充電用信号線によって充電される二次電池を含むことができる。また、盗難防止装置は、電子回路またはそれと同等のワンチップマイクロコンピュータによって構成することができる。ワンチップマイクロコンピュータは、プログラムを含むことができ、当該プログラムに従い、プルアップされた信号線の電位を監視することができる。
【００１１】
好ましくは、電子装置が複数あるとき、電子装置の各々は、複数のケーブルを介して前記警報装置に接続され、前記監視手段は、複数のケーブルの信号線の一定電位を監視し、前記警報手段は、前記監視手段によりいずれか１つの信号線の電位に変動があったとき警報を発する。好ましくは前記ケーブルは、ＵＳＢ通信機能を有するケーブルであり、電子装置はＵＳＢ通信機能を有するケーブルによって動作可能な携帯型電子端末である。
【００１２】
本発明に係る、少なくとも１つの携帯型電子端末の盗難を防止するための盗難防止方法は、少なくとも１つの携帯型電子端末にＵＳＢ通信機能を有するケーブルを接続するステップと、少なくとも１つの携帯型電子端末にＵＳＢ通信機能を有するケーブルを介して電力を供給するステップと、電力の供給に応答してＵＳＢ通信機能を有するケーブルの信号線を一定電位にプルアップするステップと、プルアップされた信号線の電位を監視するステップと、信号線の電位がしきい値以下に低下したとき、警報を発するステップとを有する。
【００１３】
本発明に係る盗難防止プログラムは、少なくとも電子装置に対して電力を供給する電力供給線およびデータ信号を送信可能な信号線を含むケーブルと、当該ケーブルが接続された警報装置とを含む盗難防止装置において実行され、電子装置にケーブルが接続されたことに応答して前記信号線の電位を監視し、前記信号線の電位がしきい値以下になったとき、警報装置に警報を出力させる。
【発明の効果】
【００１４】
本発明によれば、１つのケーブルに含まれる電力供給線と信号線を利用して、電力供給機能と盗難防止機能とを実現するようにしたので、ケーブルの本数を低減することができ、コストの削減を図ることができる。さらに、１つの電子装置に対して１本のケーブルを接続すればよいので、店頭に陳列される電子装置を交換する際にも、ケーブルの着脱作業が容易になる。さらに、電子装置に対して１本のケーブルで済むため、見栄えもよくなる。
【発明を実施するための最良の形態】
【００１５】
本発明の最良の実施の形態について図面を参照して詳細に説明する。本実施例において、携帯電話機の盗難防止を例示するが、これは例示であり、他の携帯型電子端末であってもよい。
【実施例】
【００１６】
図２は、本発明の実施例に係る盗難防止システムの構成例を示す図である。盗難防止システム１０は、携帯電話機２０と、携帯電話機２０に接続された盗難防止装置３０とを含んでいる。携帯電話機２０の詳細な構成は、ここに説明しないが、携帯電話機２０は、ＵＳＢに対応することができる電子機器であって、少なくともＵＳＢ通信機能を有するケーブルを接続するためのＵＳＢコネクタ２２を含んでいる。
【００１７】
盗難防止装置３０は、ＵＳＢ通信機能を有するケーブル４０と警報装置５０とを含む。ＵＳＢ通信機能を有するケーブル４０は、ＵＳＢ規格を遵守したデータ転送用のケーブルである。ここで、ＵＳＢ（ユニバーサル・シリアル・バス）とは、シリアルデータ転送を行うためのバス規格の一つである。ＵＳＢは、少なくとも、電力を供給するＶＢＵＳ（以下、電力供給線と称す）、信号線Ｄ＋、信号線Ｄ−、およびグランド（ＧＮＤ）の４本の信号線を備える。２本の信号線Ｄ＋／Ｄ−は、データ信号を転送する信号線であり、それぞれ差動信号の関係にある。ＵＳＢには、複数の規格１．０、２．０、３．０が存在するが、現在では、ＵＳＢ３．０が主流になりつつある。ＵＳＢ２．０は、上記の４本のピンまたは信号線を持つのに対して、ＵＳＢ３．０は、１０本のピンまたは信号線をもつ。増加したピンは、例えば、充電用の電力を供給するための信号線に利用することができる。
【００１８】
警報装置５０は、ＵＳＢ通信機能を有するケーブル４０の信号線の電位を監視し、信号線の電位が変動したとき、あるいはしきい値以下となったとき、携帯電話機２０が盗難されたと判定し、警報を発する。なお、警報装置５０には、家庭用のＡＣ電源またはバッテリＤＣ電源が供給される。
【００１９】
図３は、携帯電話機と警報装置の機能ブロック図である。携帯電話機２０は、
ＵＳＢ通信機能を有するケーブル４０の一方の端子を接続するためのＵＳＢ通信機能を有するコネクタ２２と、ＵＳＢ通信機能を有するケーブルが接続されたとき、ＵＳＢ通信機能を有するケーブルの信号線Ｄ＋またはＤ−の少なくとも一方を一定電位にプルアップするプルアップ設定部２４とを含んでいる。
【００２０】
警報装置５０は、ＵＳＢ通信機能を有するケーブル４０の他方の端子を接続するためのＵＳＢ通信機能を有するコネクタ５２と、ＵＳＢ通信機能を有するコネクタ５２の電力供給線に電力を供給する電力供給部５４と、ＵＳＢ通信機能を有するケーブルの信号線Ｄ＋またはＤ−の電位を監視する監視部５６と、監視部５６の監視結果に基づき警報を発する警報出力部５８とを有する。
【００２１】
電力供給部５４は、ＵＳＢ通信機能を有するケーブル４０がＵＳＢ通信機能を有するコネクタ５２に接続されると、電力供給線に電力を供給する。電力供給線によって供給された電力は、ＵＳＢ通信機能を有するケーブル４０を介して携帯電話機２０へ供給され、携帯電話機２０は、供給された電力に基づき動作可能な状態、及び、継続的な充電状態になる。上記したプルアップ設定部２４は、ＵＳＢ通信用の電源（ＶＢＵＳ）の供給に応答して信号線Ｄ＋またはＤ−を一定電位にプルアップする。監視部５６は、プルアップ設定部２４によって信号線Ｄ＋またはＤ−がプルアップされると、携帯電話機２０にＵＳＢ通信機能を有するケーブル４０が接続されたことを認識し、信号線Ｄ＋またはＤ−のプルアップ電位を監視する。
【００２２】
携帯電話機２０にＵＳＢ通信機能を有するケーブル４０が接続された状態を保っている限り、信号線Ｄ＋またはＤ−のプルアップ電位は、一定のレンジ内の変動である。しかしながら、携帯電話機２０からＵＳＢ通信機能を有するケーブル４０が外されると、信号線Ｄ＋またはＤ−のプルアップ電位は、ＧＮＤレベルまで降下する。監視部５６は、Ｄ＋またはＤ−の電位を監視し、一定のしきい値を超えたとき、その旨の出力を警報出力部５８に提供する。
【００２３】
警報出力部５８は、監視部５６の監視結果に応答し、Ｄ＋またはＤ−の電位がしきい値を越えて変動したとき、すなわちＵＳＢ通信機能を有するケーブル４０が携帯電話機２０から外されたとき、警報を発する。警報は、視覚、聴覚に訴えるものでよく、例えば、ブザー音を出力したり、ＬＥＤ等のランプを点灯させたり、警報装置はその他の物をバイブレーション（振動）させることができる。
【００２４】
次に、本実施例に係る盗難防止システムの詳細を図４に示す。図４に示す例では、携帯電話機のＵＳＢ通信機能を有するコネクタ２２と警報装置５０のＵＳＢ通信機能を有するコネクタ５２のそれぞれは、ＵＳＢ通信機能を有するケーブルを接続可能である。他方、ＵＳＢ通信機能を有するケーブル４０は、５本の信号ラインに接続される５つのピンを含み、すなわち、上から順番に、１：ＧＮＤ、２：信号線Ｄ＋、３：信号線Ｄ−、４：ＵＳＢ電力供給線ＶＢＵＳ、５：充電用信号線ＰＯＷＥＲを有している。このため、ＵＳＢ通信機能を有するコネクタ２２および５２の残りのピンは未接続となる。尚、通信機能を有するコネクタ及び、ケーブルの上記ピン番号は一例であり、携帯電話のメーカー、機種により、ピン本数、ピン番号は変わるが、上記信号を有する端末であれば同様に適用することができる。
【００２５】
ＵＳＢ通信機能を有するコネクタ５２の１番ピンは、ＧＮＤに接続され、２番ピン、３番ピンは、それぞれスイッチＳＷの入力端子にそれぞれ接続される。４番ピンおよび５番ピンは、５Ｖの電力供給部５４に接続されている。監視部５６は、スイッチＳＷ、抵抗Ｒ、インバータＩＮおよびＰＮＰトランジスタＴｒとを含んでいる。スイッチＳＷは、２つの入力と１つの出力とを含み、いずれかの選択された入力を出力に接続する。携帯電話機側のプルアップ設定部２４は、通常、信号線Ｄ＋（２番ピン）をプルアップするため、スイッチＳＷは、２番ピンに接続された入力を出力に接続する。これとは異なり、信号線Ｄ−（３番ピン）がプルアップされる場合には、スイッチＳＷは、３番ピンに接続された入力を出力に接続する。なお、スイッチＳＷの切換制御は、ディップスイッチ等によって行うことができ、あるいは、後述するワンチップマイコン等のプログラムによって行うことができる。
【００２６】
スイッチＳＷの出力は、インバータの入力ＩＮに接続され、インバータＩＮの出力はトランジスタＴｒのベースに接続される。また、スイッチＳＷの出力は、抵抗Ｒを介してＧＮＤに接続されている。トランジスタＴｒのコレクタは、ブザー６０に接続され、ブザー６０はさらに５Ｖの電源に接続される。電源６２は、ＡＣＣ電源またはＤＣ電源を用いて警報装置５０内に５Ｖの電力を供給する。
【００２７】
次に、図５のフローチャートを参照して動作を説明する。ここで説明する動作は一例であって、動作順序は、必ずしもこれに限定されるものではない。携帯電話機２０の電源がオンにされ（ステップＳ１０１）、ＵＳＢ通信機能を有するコネクタ２２にＵＳＢ通信機能を有するケーブル４が接続され（ステップＳ１０２）、携帯電話機２０と盗難防止装置３０が接続状態にとなる（ステップＳ２０１）。警報装置５０の電源投入前に、信号線Ｄ＋／Ｄ−（２番ピンおよび３番ピン）はプルダウンされている（ステップＳ２０２）。
【００２８】
警報装置５０の電源がオンにされると（ステップＳ２０３）、電力供給部５４は、４番ピンと５番ピンのＵＳＢ電力供給線と充電供給線に５Ｖの電圧を印加する（ステップＳ２０４）。携帯電話機２０は、充電供給線から供給された電力を利用して、内蔵の二次電池を充電する（ステップＳ１０３）。さらに、携帯電話機２０のプルアップ設定部２４は、電力供給線から電力を供給されると、これに応答して信号線Ｄ＋または信号線Ｄ−を３．３Ｖの電位にプルアップする（ステップＳ１０４）。
【００２９】
プルアップされた信号線の電位は、ＵＳＢ通信機能を有するケーブル４０を介して警報装置５０に伝えられる。ここでは、便宜上、信号線Ｄ＋がプルアップされたものとする。監視部５６は、スイッチＳＷの切替を制御し、信号線Ｄ＋に対応する２番ピンの入力が出力されるようにする。スイッチＳＷは、３．３ＶのＨレベルの信号をインバータＩＮに出力し、インバータＩＮは、これを反転したＬレベルの信号をトランジスタＴｒのベース（ゲート）に印加する。トランジスタＴｒは、オフであり、ブザー６０には電流が流れず、警報は発せられない（ステップＳ３０１）。すなわち、ＵＳＢ通信機能を有するケーブル４０が接続されている状態が検出される。
【００３０】
他方、ＵＳＢ通信機能を有するケーブル４０がコネクタ２４から引き抜かれたり、携帯電話機２０からバッテリが取り外されたりすると（ステップＳ１０５）、信号線Ｄ＋の電位が途絶えるため、インバータＩＮの入力は、Ｌレベルの信号となり、トランジスタＴｒのベースには、Ｈレベルの信号が印加され、トランジスタＴｒがオンする。これにより、ブザー６０に電流がながれ、ブザー音が発せられる（ステップＳ３０２）。すなわち、携帯電話機２０が未接続状態にあり、盗難の警報が知らされる。
【００３１】
図６は、盗難防止システムの変形例である。図６に示す例では、ＵＳＢ機器、および警報装置５０のＵＳＢコネクタ２２Ａ、５２Ａが４ピンコネクタの形状を有しており、それ以外のシステムの構成は、図４に示す構成と同様である。ＵＳＢコネクタ２２Ａ、５２Ａの１番ピンは、電力供給線（ＵＳＢ  ＶＢＵＳ）、２番ピンは、信号線Ｄ＋、３番ピンは、信号線Ｄ＋、４番ピンはＧＮＤである。ＵＳＢケーブル４０Ａは、これらのコネクタの形状に適合するものが使用される。
【００３２】
ＵＳＢ機器は、警報装置５０から電力供給線を介して５Ｖの電力供給を受けると、信号線Ｄ＋またはＤ−の少なくとも一方を３．３Ｖの電位にプルアップする。警報装置５０は、プルアップされて信号線の電位を監視し、プルアップ電位がインバータＩＮのしきい値より小さくなると、ブザーを鳴らして警報を与える。
【００３３】
次に、本発明の第２の実施例について説明する。第２の実施例に係る盗難防止システムは、複数の携帯電話機を監視するのに好適な例である。図７に示すように、第２の実施例の盗難防止システム１０Ａは、複数の携帯電話機２０−１、・・・２０−Ｎと、複数のＵＳＢ通信機能を有するケーブル４０−１、・・・４０−Ｎと、警報装置５０Ａとを含んでいる。警報装置５０Ａは、いずれか１つのＵＳＢ通信機能を有するケーブルから携帯電話機が外されたことを検出すると、警報を発する。
【００３４】
図８は、第２の実施例の盗難防止システムの詳細な構成例である。第２の実施例において、警報装置５０Ａは、複数のＵＳＢ通信機能を有するコネクタ５２−１、・・・５２−Ｎに接続されたワンチップマイコン等とそのプログラム、もしくは同等の構成を有する電子回路７０を含む。ワンチップマイコン等のデバイスは、その内部メモリにプログラムを格納し、当該プログラムにより盗難防止制御（例えば、図５に示す動作フロー）を実行する。
【００３５】
ワンチップマイコン等とそのプログラム、もしくは同等の電子回路７０は、複数のＵＳＢ通信機能を有するケーブル４０−１、・・・４０−Ｎを介して複数の携帯電話機２０−１、・・・２０−Ｎが接続されると、電力供給部５４から各ＵＳＢ通信機能を有するケーブルのＵＳＢ電力供給線（４番ピン）および充電供給線（５番ピン）に５Ｖの電力を供給する。携帯電話機は、電力供給を受けると、ＵＳＢ通信機能を有するケーブルの信号線Ｄ＋またはＤ−を３．３Ｖにプルアップする。
【００３６】
ワンチップマイコン等とそのプログラム、もしくは同等の電子回路７０は、各ＵＳＢケーブルの信号線Ｄ＋またはＤ−（あるいはＤ＋およびＤ−の双方）のプルアップ電位を監視する。電力供給を行ったすべてのＵＳＢケーブルのプルアップ電位がしきい値以上であるとき、あるいは、プルアップ電位が一定の範囲内にあるとき、ワンチップマイコン等とそのプログラム、もしくは同等の電子回路７０は、すべての携帯電話機の各々が正常に対応するＵＳＢ通信機能を有するケーブルに接続されていると判定し、警報を出力させない。
【００３７】
他方、ワンチップマイコン等とそのプログラム、もしくは同等の電子回路７０は、いずれか１つのプルアップ電位がしきい値よりも小さくなったとき、いずれかの携帯電話機がＵＳＢ通信機能を有するケーブルから外れたと判定し、警報を出力させる。警報は、第１の実施例のときと同様に、トランジスタＴｒをオンにしてブザー６０を鳴らしたり、これ以外にも、ＬＥＤ６４を点灯させたりバイブレーション等の他の警報６６を出力させることができる。このようにワンチップマイコン等とそのプログラム、もしくは同等の電子回路７０により複数の携帯電話機の盗難監視を簡単に実行することができる。
【００３８】
図９は、第２の実施例の盗難防止システムの変形例である。この変形例は、上記した図６に示すＵＳＢコネクタ形状の変形例に対応するものであり、その他の構成は図８と同様である。すなわち、ＵＳＢコネクタ５２Ａ−１、・・・５２Ａ−Ｎは、それぞれ４ピンを含み、１番ピンがＧＮＤ、２番ピンが信号線Ｄ＋、３番ピンがＤ−、４番ピンが電力供給線（ＶＢＵＳ）である。ＵＳＢ機器のＵＳＢコネクタ２２Ａ−１、・・・２２Ａ−Ｎも同様の４ピンを有し、ＵＳＢケーブル４０Ａ−１、・・・４０Ａ−Ｎもそれに適合する４つのラインを有している。
【００３９】
以上、本発明の好ましい実施の形態について詳述したが、本発明は、特定の実施形態に限定されるものではなく、特許請求の範囲に記載された本発明の要旨の範囲内において、種々の変形・変更が可能である。
【００４０】
例えば、図４に示す警報装置５０は、スイッチＳＷを含む例を示したが、予めプルアップされる信号線が決定されていれば、必ずしもスイッチＳＷは不要である。さらに、プルアップ電位を監視する方法は、上記実施例の回路構成に限らず他の構成を採用することも可能である。また、ＵＳＢインターフェースを有するディジタルカメラ、ゲーム機、ノートパソコンなどのＵＳＢ機器を対象とした盗難防止システムであってもよい。さらに、ＵＳＢ通信機能を有するケーブルを介して通信を有する電子機器同士の接続状態を判別するための判別装置としての利用も可能である。
【図面の簡単な説明】
【００４１】
【図１】従来の盗難防止システムの構成を示す図である。
【図２】本発明の実施例に係る盗難防止システムの構成例を示す図である。
【図３】本実施例の盗難防止システムの機能を示すブロック図である。
【図４】本実施例の盗難防止システムの具体的な構成を示す図である。
【図５】図４に示す盗難防止システム動作フローチャートである。
【図６】図４に示す盗難防止システムの変形例である。
【図７】本発明の第２の実施例に係る盗難防止システムの例を示す図である。
【図８】第２の実施例に係る盗難防止システムの詳細な構成を示す図である。
【図９】第２の実施例に係る盗難防止システムの変形例である。
【符号の説明】
【００４２】
１０：盗難防止システム                ２０：携帯電話機
２２：ＵＳＢ通信機能を有するコネクタ  ３０：盗難防止装置
４０：ＵＳＢ通信機能を有するケーブル  ５０：警報装置
５２：ＵＳＢ通信機能を有するコネクタ  ６０：ブザー
６２：電源                            ６４：ＬＥＤ
７０：ワンチップマイコン等
【図１】
2010140388.tif 000003
【図２】
2010140388.tif 000004
【図３】
2010140388.tif 000005
【図４】
2010140388.tif 000006
【図５】
2010140388.tif 000007
【図６】
2010140388.tif 000008
【図７】
2010140388.tif 000009
【図８】
2010140388.tif 000010
【図９】
2010140388.tif 000011